(57)【要約】【課題】シートベルトを装着する際に、的確にタングをシートバック表面から浮かせることができ、且つ装置が大型化せず邪魔にならないシートベルト装置を提供する。【解決手段】未装着時にはタング１３がシートバック２の前面に位置している。ウェビング１１には、中空袋状の袋状部１１Ａが形成されている。袋状部１１Ａの下端は、シートクッション３の内部空間と連通している。シートクッション３の内部には、袋状部１１Ａ内へ進退可能な芯材２０が設けられている。芯材２０は、ウェビング１１及びタング１３を所定の姿勢で保持可能な保形性を有する。シートベルト１０を装着する際に、芯材２０がシートクッション３内から繰り出されて袋状部１１Ａ内へ進入することで、タング１３がシートバック２から浮上する。【選択図】図３
2010167938.tif 000002
【特許請求の範囲】
【請求項１】
乗員の身体を車両用シートに拘束するシートベルトウェビングと、該シートベルトウェビングに摺動可能に挿通されたタングとを有し、未装着時には前記タングがシートバックの前面に位置しているシートベルトの装着を補助する、シートベルト装着補助装置であって、
前記シートベルトウェビングの少なくとも一部には、中空袋状の袋状部が形成されており、該袋状部の下端は、シートクッションの内部空間と連通しており、
前記シートクッションの内部には、前記シートベルトウェビングの袋状部内へ進退可能な芯材が設けられており、該芯材は前記シートベルトウェビング及びタングを所定の姿勢で保持可能な保形性を有し、
シートベルトを装着する際に、前記芯材が前記シートクッション内から前上方向へ繰り出されて前記シートベルトウェビングの袋状部内へ進入することで、前記タングがシートバックから浮き上がることを特徴とする、シートベルト装着補助装置。
【請求項２】
請求項１に記載のシートベルト装着補助装置であって、
乗員が前記車両用シートに着座していないときは、前記芯材は前記シートクッション内に納まっており、
乗員が前記車両用シートに着座したときに、前記芯材が前記シートクッション内から繰り出されて前記シートベルトウェビングの袋状部内へ進入し、
前記タングを前記シートクッションの側方に設けられたバックルに装着すると、前記芯材は前記袋状部から退出して前記シートクッション内へ収納されることを特徴とする、シートベルト装着補助装置。
【請求項３】
請求項１または請求項２に記載のシートベルト装着補助装置であって、
前記芯材は、車両前方側へ渦巻状に巻かれたゼンマイバネであり、
前記袋状部は、前記シートベルトウェビングの下端から前記タングが前記シートバックの前面において保持されている高さより低い位置まで形成されており、
前記芯材が前記袋状部へ進入した際に、該芯材が車両前方側へ傾倒しようとする復元力によって、前記タングが前記シートバックから浮き上がることを特徴とする、シートベルト装着補助装置。
【請求項４】
請求項３に記載のシートベルト装着補助装置であって、
前記芯材が前記シートクッション内に納まっている状態でも、該芯材の先端部が前記シートベルトウェビングの袋状部内にあることを特徴とする、シートベルト装着補助装置。
【請求項５】
請求項１に記載のシートベルト装着補助装置であって、
前記芯材は、車両後方側へ渦巻状に巻かれたゼンマイバネであり、
前記袋状部は、前記シートベルトウェビングの下端から、シートベルト未装着時において前記シートベルトウェビングが外部に露出している範囲において、前記タングが前記シートバックの前面において保持されている高さより高い位置まで形成されており、
前記芯材が前記袋状部の上端に当接した状態から、さらに該芯材を前記シートクッションから繰り出す方向へ力を加えて前記芯材を車両前方側へ湾曲させることで、前記タングが前記シートバックから浮き上がることを特徴とする、シートベルト装着補助装置。
【請求項６】
請求項５に記載のシートベルト装着補助装置であって、
乗員が前記車両用シートに着座していないときから、前記芯材が前記袋状部の上端に当接しており、
乗員が前記車両用シートに着座すると、前記芯材が前記シートクッション内から繰り出され、
前記タングを前記シートクッションの側方に設けられたバックルに装着すると、前記芯材が前記シートクッション内へ巻き取られることを特徴とする、シートベルト装着補助装置。
【発明の詳細な説明】
【技術分野】
【０００１】
本発明は、乗員の身体を車両用シートに拘束するシートベルトウェビングと、該シートベルトウェビングに摺動可能に挿通されたタングとを有し、シートベルトの未装着時には、タングがシートバックの前面に位置しているシートベルトの装着を補助する、シートベルト装着補助装置に関する。
【背景技術】
【０００２】
この種のシートベルト装着補助装置として、例えば特許文献１及び特許文献２がある。当該特許文献１や特許文献２のシートベルト装着補助装置は、ウェビングを巻き取るリトラクタがシートバック内に内設され、ウェビングがシートバックの繰出口から繰り出される、いわゆるベルトインシートに適用されている。このようなベルトインシートでは、見栄えや乗降性等の観点から、シートベルトの未装着時にはウェビングをシートバックの前面に沿わせてあるため、タングがシートバックの前面に位置しており、シートバックとタングとの間には殆ど隙間が無い。そのため、シートベルトの装着時にタングを掴み難く、ウェビングを繰出口から繰り出す操作など、装着時の作業性に課題があった。そこで、特許文献１や特許文献２では、シートベルト装着作業性の向上を図っている。
【０００３】
具体的には、特許文献１では、シートバックのウェビング繰出口の下方に設けた収容凹部内に、先端に可動部材を取り付けた蛇腹状を成す伸縮筒を設けている。伸縮筒はエア供給によって伸張可能となっており、伸縮筒が伸長することで可動部材が押し出され、ウェビング及びタングをシートバックから浮かせている。特許文献２では、提供位置と収納位置との間で変位可能な可動アームの前面に、ウェビングが位置している。そして、可動アームを提供位置へ前倒させることでウェビングを押し出して、当該ウェビング及びタングをシートバックから浮かせている。
【先行技術文献】
【特許文献】
【０００４】
【特許文献１】特開２００４−３０６６４２号公報
【特許文献２】特表２００２−５２７２８３号公報
【発明の概要】
【発明が解決しようとする課題】
【０００５】
上記特許文献１や特許文献２では、伸縮筒や可動アームなどの押出部材によってウェビングを押し出している。しかし、押出部材によってウェビングを押し出す際に、ウェビングが押出部材から側方へ滑り落ちて押し出せない場合が生じるおそれがある。これでは、タングをシートバックから的確に浮かせられない。これを避けるため、特許文献１及び特許文献２では伸縮筒の可動部材や可動アームの幅寸法を、ウェビングの幅寸法より大きくしている。しかし、これでは装置が大型化してしまう。また、ウェビングを押し出している状態においては、押出部材がシートバックの前方へ突出した状態となっているので、当該押出部材が邪魔になることもある。
【０００６】
そこで、本発明は上記課題を解決するものであって、シートベルトを装着する際に、的確にタングをシートバックから浮かせることができ、且つ装置が大型化せず邪魔にならないシートベルト装着補助装置を提供することを目的とする。
【課題を解決するための手段】
【０００７】
本発明は、シートベルトの装着を補助するシートベルト装着補助装置に関する。シートベルトは、乗員の身体を車両用シートに拘束するシートベルトウェビングと、該シートベルトウェビングに摺動可能に挿通されたタングとを有する。当該シートベルトは、未装着時にはタングがシートバックの前面に位置している。そのうえで、シートベルトウェビングの少なくとも一部には、中空袋状の袋状部が形成されている。当該袋状部の下端は、シートクッションの内部空間と連通している。一方、シートクッションの内部には、シートベルトウェビングの袋状部内へ進退可能な芯材が設けられている。当該芯材は、シートベルトウェビング及びタングを所定の姿勢で保持可能な保形性を有する。そして、シートベルトを装着する際に、芯材がシートクッション内から繰り出されてシートベルトウェビングの袋状部内へ進入することで、タングがシートバックから浮き上がることを特徴とする。
【０００８】
このとき、乗員が車両用シートに着座していないときは、芯材がシートクッション内に納まっており、乗員が車両用シートに着座したときに、芯材がシートクッション内から繰り出されてシートベルトウェビングの袋状部内へ進入し、さらに、タングをシートクッションの側方に設けられたバックルに装着すると、芯材が袋状部から退出してシートクッション内へ収納されるように制御することが好ましい。芯材がシートクッション内に納まっている状態としては、芯材の少なくとも一部がシートクッション内に納まっていればよい。すなわち、芯材の全部が納まっていてもよいし、芯材の一部が納まっていてもよい。芯材の一部がシートクッションに納まっている状態では、芯材の他の一部は袋状部内にあることになる。したがって、芯材が袋状部から退出してシートクッション内へ収納される場合としても、芯材の全部が袋状部から退出する場合と、芯材の一部のみが袋状部から退出する場合とが含まれる。
【０００９】
芯材としては、タングを浮かすことが出来る一定の保形性を有するものであれば、種々のものを使用できる。例えば、可撓性を有しない棒材や板材でも構わない。しかし、弾性の高い素材を渦巻状に巻いたゼンマイバネが好適である。芯材としてのゼンマイバネを車両前方側へ渦巻状に巻いた場合、袋状部は、シートベルトウェビングの下端からタングがシートバックの前面において保持されている高さより低い位置まで形成すればよい。この場合、芯材はシートクッション内にて巻かれている。そして、芯材が袋状部へ進入すると、該芯材には車両前方側へ傾倒しようとする復元力が働く。この芯材の復元力によってウェビングが車両前方側へ押し出されるので、タングがシートバックから浮き上がることになる。また、この場合、芯材がシートクッション内に納まっている状態においては、該芯材の先端部がシートベルトウェビングの袋状部内にあることが好ましい。
【００１０】
また、芯材としてのゼンマイバネは、車両後方側へ渦巻状に巻いてもよい。この場合は、袋状部は、シートベルトウェビングの下端から、シートベルト未装着時においてシートベルトウェビングが外部に露出している範囲において、タングがシートバックの前面において保持されている高さより高い位置まで形成しておく。そして、芯材が袋状部の上端に当接した状態から、さらに該芯材をシートクッションから繰り出す方向へ力を加える。すると、芯材はそれ以上袋状部内を進入できないことから、復元力の方向との関係から車両前方側へ湾曲する。これにより、タングがシートバックから浮き上がることになる。この場合、乗員が車両用シートに着座していない状態においては、芯材の全部が袋状部内に無いか、又は芯材の先端部のみが袋状部内にある状態としても構わないが、乗員が車両用シートに着座していないときから、芯材を袋状部の上端に当接させておくことが好ましい。そして、乗員が車両用シートに着座すると、芯材がシートクッション内から繰り出され、タングをシートクッションの側方に設けられたバックルに装着すると、芯材がシートクッション内へ巻き取られるように制御する。
【発明の効果】
【００１１】
本発明では、一定の保形性を有する芯材をシートベルトウェビングの袋状部内に進入させることでタングをシートバックから浮上させているので、タングを押出部材などによって機械的に押出す従来技術のように、シートベルトウェビングが押出部材の側方へ滑り落ちるような不具合を避けられる。したがって、的確にタングをシートバックから浮き上がらせることができる。また、シートベルトウェビング又はタングを車両前方側へ直接押し出す押出部材が不要であり、装置の大型化が避けられる。また、本発明によれば、タングがシートバックから浮上した状態でも芯材はシートベルトウェビングの袋状部内にあるので、従来技術のようにシートバックとシートベルトウェビングとの間に邪魔な部材がなく、乗員の姿勢移動の自由度も大きくなる。
【００１２】
乗員がシートに着座していないときには芯材が袋状部内に無く、乗員が車両用シートに着座したときに芯材が繰り出されるようにされていれば、シートベルト未装着時にシートベルトウェビングがごわついたり、不必要にタングが浮上していることが避けられる。これは、可撓性の無い芯材を使用する場合に特に有効である。さらに、タングをバックルに装着すると芯材が袋状部から退出するようになっていれば、シートベルトの装着感、及び乗員の拘束性（身体へのフィット性）を阻害することが避けられる。
【００１３】
芯材を車両前方側に巻かれたゼンマイバネとすれば、その復元力によって効率的にタングをシートバックから浮き上がらせることができる。また、ゼンマイバネは一定の可撓性も有するので、シートベルトの装着作業も楽になる。このとき、袋状部の上端をタングよりも低い位置としておけば、芯材の長さはタングをシートバックから浮上させるに必要充分な長さなので、シートクッション内での巻き取り量を少なく出来る。
【００１４】
芯材がシートクッション内に納まっている状態でも、該芯材の先端部のみは袋状部内にあれば、芯材をスムーズに袋状部内へ進入させられる。
【００１５】
芯材を車両後方側へ巻かれたゼンマイバネとし、芯材が袋状部の上端に当接した状態から、さらに該芯材を繰り出して湾曲させることでも、効率的にタングをシートバックから浮上させられる。この場合、袋状部の上端はタングよりも高い位置に設定されるが、乗員が車両用シートに着座していないときから芯材の先端を袋状部の上端に当接させておけば、芯材の繰り出し量が少なくて済むので装置の大型化が避けられると共に、乗員が車両用シートに着座してからタングが浮上するまでの時間も短縮できる。
【図面の簡単な説明】
【００１６】
【図１】実施例１の車両用シートの斜視図である。
【図２】芯材が繰り出されていない状態の実施例１の車両用シートの一部破断側面図である。
【図３】芯材によってタングが浮上した状態の実施例１の車両用シートの一部破断側面図である。
【図４】芯材が進入した状態における袋状部の断面図である。
【図５】芯材が繰り出されていない状態の実施例２の車両用シートの一部破断側面図である。
【図６】芯材によってタングが浮上した状態の実施例２の車両用シートの一部破断側面図である。
【発明を実施するための形態】
【００１７】
以下に、図面を参照しながら本発明に係るシートベルト装着補助装置の実施の形態について説明するが、これに限定されることはなく、本発明の要旨を逸脱しない範囲において種々の変更が可能である。本発明のシートベルト装着補助装置は、シートベルトを装着する際に、タングを掴み易くするための補助装置である。当該シートベルト装着補助装置は、シートベルトの未装着時には、タングがシートバックの前面に位置するような車両用シートに適用できる。このような車両用シートとしては特に限定されないが、以下にはベルトインシートに適用した例を挙げて説明する。
【００１８】
（実施例１）
ベルトインシート１は、自動車などの車両に搭載される車両用シートであって、図１に示すごとく背凭れとなるシートバック２と、着座部となるシートクッション３と、乗員の頭部を支持するヘッドレスト４とを有する。シートベルト１０は、乗員の身体をベルトインシート１に拘束するシートベルトウェビング１１（以下、単にウェビング１１と称す）と、該ウェビング１１に摺動可能に挿通されたタング１３とを有する。シートバック２の内部には、シートベルト１０のウェビング１１の一端（上端）が連結されたリトラクタ（図示せず）が内設されており、ウェビング１１がシートバック２の肩部に設けられた繰出口から繰り出されるようになっている。繰出口は、ウェビング１１を案内するスリップジョイント１２に設けられている。ウェビング１１の他端（下端）は、シートクッション３に縫着されている。また、ウェビング１１の反対側のシートクッション３の側部には、タング１３を装着係合するバックル１４が設けられている。タング１３をバックル１４に装着係合することで、ウェビング１１が乗員の胸部や腰部にかけられた状態となり、乗員を３点で支持できるようになっている。すなわち、ウェビング１１はリトラクタの巻き取り張力によって乗員の胸部や腰部に押し当てられた状態となり、乗員の身体をシートバック２に拘束した状態となる。本発明のベルトインシート１は、ドライバーズシートやナビゲーションシートのほか、２列目シート、３列目シート、及び車両左右方向に３つのシートが並設されている場合のセンターシートなどにも適用可能である。
【００１９】
図１〜図３に示されるように、タング１３は、凸形状の金属プレート１３Ａと、金属プレート１３Ａの基部を覆う樹脂カバー１３Ｂとを有する。金属プレート１３Ａの先端部には、バックル１４に差し込まれて係止される貫通状の係止孔を有し、金属プレート１３Ａの基部及び当該部分を覆う樹脂カバー１３Ｂに、ウェビング１１の通し孔となる長孔１３Ｃが貫通形成されている。タング１３は、ウェビング１１に設けられた保持手段によって、所定高さ位置で保持されている。ここでの保持手段としては、図２及び図３に示されるように、タング１３の長孔１３Ｃより大きいボタン状のストッパー１６が用いられている。そして、このストッパー１６によって、タング１３は、ベルトインシート１に着座した乗員がタング１３を掴み易い高さ位置に保持されている。具体的には、着座した乗員の腹部から肩の間に位置するようになっている。
【００２０】
ウェビング１１は、リトラクタによって巻き取られる方向（上方）に常時付勢されており、車両を停車している場合など、シートベルト１０の未装着時には、ウェビング１１がシートクッション３からスリップジョイント１２にかけてシートバック２の前面に沿う状態で保持されている。これにより、シートベルト１０の未装着時には、タング１３がシートバック２の前面に位置している。ウェビング１１は、引張り強さに優れたポリエステル繊維等が帯状に編み込まれており、その一部に中空袋状の袋状部が形成されている。具体的には、図１及び図４に示すように、ウェビング１１の左右両側縁に沿って、ウェビング１１の下端から所定高さまでが袋状部１１Ａとなっている。袋状部１１Ａの上端は、タング１３がシートバック２の前面において保持されている高さより低い位置にある。すなわち、袋状部１１Ａの長さは、これの内部に後述の芯材２０が進入してきた際に、タング１３をシートバック２から浮上させるに必要十分な長さとなっている。そのためには、袋状部１１Ａの上端（袋状部１１Ａの長さ）は、ウェビング１１の下端からタング１３の保持位置までの領域（長さ）のうち、上半分の位置（半分以上の長さ）とすることが好ましい。ウェビング１１は、適宜織り方を変えることで一枚布部分と中空袋状部分とを自由に設計できる袋織りにて形成されており、図４に示されるように、袋状部１１Ａを一体的に有する。
【００２１】
図２及び図３に示されるように、袋状部１１Ａの下端は、シートクッション３の内部空間と連通している。そのうえで、シートクッション３の内部には、ウェビング１１及びタング１３を所定の姿勢で保持可能な保形性を有する二本の芯材２０が設けられている。当該芯材２０は、回動軸２１周りに車両前方側へ渦巻状に巻かれたゼンマイバネであり、回動軸２１がモータ等の駆動手段によって回動することで、袋状部１１Ａ内へ進退可能となっている。芯材２０たるゼンマイバネは、高い弾性を有するワイヤー状のバネ鋼からなり、一定の可撓性も有する。図２に示されるように、乗員がベルトインシート１に着座していないときは、芯材２０のほぼ全部がシートクッション３内に納まっているが、この状態でも、該芯材２０の先端部は袋状部１１Ａ内にある。
【００２２】
次に、シートベルト１０を装着する際の補助作用について説明する。乗員がベルトインシート１に着座していないときは、図２に示すように、芯材２０の殆どは回動軸２１に巻き取られた状態でシートクッション３内に納まっている。すなわち、乗員がベルトインシート１に着座していないときは、袋状部１１Ａ内に芯材２０が進入していない。このとき、図１に示されるように、ウェビング１１はリトラクタの引張付勢力によってシートバック２の前面に沿っており、タング１３がシートバック２の前面に位置している。そして、図２に示されるように、タング１３とシートバック２との間にはほとんど隙間が無い。
【００２３】
乗員がベルトインシート１に着座すると、駆動手段によって回動軸２１が車両前方側へ回動することで、芯材２０がシートクッション３内からウェビング１１の袋状部１１Ａ内へ繰り出される。このとき、芯材２０の先端部が予め袋状部１１Ａ内にあることから、芯材２０が上方の袋状部１１Ａ内へスムーズに進入していく。芯材２０の繰り出しタイミングは、シートクッション３の内部又はシートバック２の内部に設けられた荷重センサ（図示せず）によって行われる。具体的には、乗員がベルトインシート１に着座したことが荷重センサによって検知され、当該荷重センサからの検知信号をＥＣＵ（図示せず）が検知した際に、ＥＣＵ制御によって行われる。芯材２０は、これの先端が袋状部１１Ａの上端に到達するまで繰り出されるように制御されている。芯材２０がシートクッション３から繰り出されて袋状部１１Ａ内を進入していくと、図３に示すように、芯材２０には車両前方側へ傾倒しようとする復元力が作用する。そして、この芯材２０の復元力によって、タング１３がシートバック２から前方へ浮上した状態となる。
【００２４】
このように、乗員がベルトインシート１へ着座することでタング１３がシートバック２から浮上した状態となるので、乗員はタング１３を容易に掴むことができる。そして、そのままタング１３をウェビング１１に対して摺動させながら、バックル１４に係合装着させる。このとき、芯材２０は可撓性を有するので、タング１３の装着作業に大きな支障はない。タング１３をバックル１４へ係合させてシートベルト１０を装着すると、回動軸２１が車両後方側へ回動し、芯材２０が巻き取られる。すなわち、芯材２０の殆どが袋状部１１Ａから退出して、再度シートクッション３内へ収納される。このときも、芯材２０の先端部のみは、袋状部１１Ａ内に残っている。芯材２０の巻き取りタイミングは、バックル１４に設けられたセンサ（図示せず）によって行われる。その制御は、繰り出しタイミングと同様に、ＥＣＵによって行われる。運転を終了し、タング１３とバックル１４との係合を解除すると、ウェビング１１がリトラクタによってシートバック２の内部へ巻き取られ、再度図１及び図２に示す状態へ戻る。
【００２５】
（実施例２）
図５及び図６に、本発明の実施例２を示す。本実施例２は、芯材２０の巻き方向とこれに付随する構成が実施例１と異なる。したがって、実施例２のベルトインシート１やシートベルト１０の基本構成は実施例１と同様なので、以下には実施例１との相違点を中心に説明する。
【００２６】
図５に示されるように、本実施例２では、芯材２０たるゼンマイバネが、回動軸２１周りに車両後方側へ渦巻き状に巻かれている。袋状部１１Ａは、ウェビング１１の左右両側縁において、当該ウェビング１１の下端からタング１３の上方にまで形成されている。詳しくは、袋状部１１Ａの下端はシートクッション３の内部空間と連通している。一方、袋状部１１Ａの上端は、シートベルト１０の未装着時においてウェビング１１がシートバック２の外部に露出している範囲において、タング１３がシートバック２の前面において保持されている高さより高い位置まで形成されている。袋状部１１Ａの上端位置は、タング１３より上方であれば特に限定されないが、ウェビング１１の繰出口があるスリップジョイント１２に近い方が好ましい。そのうえで、芯材２０は、乗員がベルトインシート１に着座していない状態において、既に袋状部１１Ａの上端に当接している。
【００２７】
次に、シートベルト１０を装着する際の補助作用について説明する。上述のように、乗員がベルトインシート１に着座していないときから、図５に示すように芯材２０が袋状部１１Ａの中に入っているが、当該芯材２０の基端部は回動軸２１に巻かれている。このとき、芯材２０には車両後方側への巻き癖がついているので、袋状部１１Ａ内にある芯材２０には後傾しようとする復元力が働いている。そのため、当該芯材２０の復元力とウェビング１１のリトラクタからの引張付勢力とを受けて、ウェビング１１がシートバック２の前面に沿っており、タング１３とシートバック２との間には殆ど隙間がない。
【００２８】
乗員がベルトインシート１に着座すると、モータ等の駆動手段（図示せず）によって回動軸２１が車両後方側へ回動する。これにより、芯材２０がシートクッション３内から上方へ繰り出される。このとき、芯材２０の先端は既に袋状部１１Ａの上端に当接していることから、芯材２０はそれ以上袋状部１１Ａを進行することができない。そのため、図６に示されるように、芯材２０は湾曲することになる。芯材２０には後傾する方向への復元力が作用していることで、芯材２０はその中間部が車両前方側へ湾曲することになる。これにより、ウェビング１１も車両前方側へ湾曲して、タング１３がシートバック２から浮上する。
【００２９】
タング１３がシートバック２から浮上すると、タング１３をウェビング１１に対して摺動させながらバックル１４に係合装着させる。このとき、芯材２０は可撓性を有するので、タング１３の装着作業に大きな支障はない。タング１３をバックル１４へ係合させてシートベルト１０を装着すると、回動軸２１が車両前方側へ回動し、芯材２０の先端が袋状部１１Ａから離れない範囲で芯材２０が巻き取られる。運転を終了し、タング１３とバックル１４との係合を解除すると、ウェビング１１がリトラクタによってシートバック２の内部へ巻き取られ、再度図５に示す状態へ戻る。その他は実施例１と同様なので、同じ部材に同じ符号を付してその説明を省略する。
【００３０】
（その他の変形例）
上記実施例では、本発明のシートベルト装着補助装置をベルトインシートへ適用した例として説明したが、シートベルトの未装着時にはタングがシートバックの前面に位置しているシートであればベルトインシートに限られない。例えば、後部座席のように、リトラクタが車体内部に設けられ、ウェビングが車体側から繰り出されるシートであっても良い。タングの保持手段としては、ストッパー１６に限られない。例えば、タング１３にウェビング挿通用の長孔１３Ｃを２列並設して、当該２つの長孔１３Ｃ・１３Ｃにウェビングを互い違いに挿通させる二孔タングとしてもよい。
【００３１】
袋状部は、別布を縫着して形成することもできる。ウェビングの側縁に沿って形成する場合は、ウェビングの側縁を折り返し縫着してもよい。また、袋状部は、ウェビングの左右両側縁以外の部位に２本設けてもよい。さらに、袋状部は、１本又は３本以上の複数形成してもよい。袋状部を１本とする場合は、ウェビングの左右中心に形成することが好ましい。３本以上形成する場合は、左右方向に等間隔で形成することが好ましい。また、ウェビングの所定長さ領域を筒状に形成してもよい。
【００３２】
芯材は、ワイヤー状のゼンマイバネに限らず、薄板状のゼンマイバネとすることもできる。また、ゼンマイバネに限らず、丸棒や角棒などの棒状のものや、板状のものも使用できる。この場合、芯材はある程度の可撓性を有することが好ましいが、可撓性を有しないものでもよい。芯材としてゼンマイバネを使用する場合は、当該ゼンマイバネを上方へ繰り出せば、その復元力によって必然的に車両前方側へも繰り出されたと同じ動きとなるが、復元力を有しない芯材を使用する場合は、これの繰り出し方向を前上方向にしておく。芯材の材質としても特に限定されず、鋼のほか、りん青銅、ベリリウム銅などの金属や、ゴムや合成樹脂等の高分子化合物、又は木材などを使用できる。
【００３３】
また、実施例２において、タング１３をバックル１４へ係合させると、芯材２０は、先端部以外の殆どが袋状部１１Ａから退出するように回動軸２１へ巻き取られるよう設計することもできる。これによれば、シートベルト１０を装着した際にウェビング１１のフレキシブル性が向上するので、ウェビング１１を的確に乗員の身体へフィットさせることができる。この場合、タング１３とバックル１４との係合を解除すると、再度芯材２０の先端が袋状部１１Ａの上端に当接するまで、芯材２０が繰り出されるよう設計しておく。
【符号の説明】
【００３４】
１  ベルトインシート
２  シートバック
３  シートクッション
４  ヘッドレスト
１０  シートベルト
１１  ウェビング
１１Ａ  袋状部
１２  スリップジョイント
１３  タング
１４  バックル
１６  ストッパー
２０  芯材
【図１】
2010167938.tif 000003
【図２】
2010167938.tif 000004
【図３】
2010167938.tif 000005
【図４】
2010167938.tif 000006
【図５】
2010167938.tif 000007
【図６】
2010167938.tif 000008